(57)【要約】【課題】枠状部材を介して発光素子の光を表示部材に良好に照射でき、且つ表示部材を制約せずに枠状部材の機能性およびデザイン性を向上させる。【解決手段】光透過性樹脂からなる枠状の導光部１５と非透過性樹脂からなる枠状の遮光部１６とを２色成形によって一体に形成した見切り部材１３と、導光部１５の所定個所に対応して配置された発光素子１４とを備えた。従って、発光素子１４で発光した光が導光部１５に照射されると、この導光部１５で導かれながら見切り部材１３の内側に向けて放出されるので、文字板１０および指針１１に発光素子１４の光を良好に照射できる。また、見切り部材１３が導光部１５と遮光部１６とを２色成形によって一体に形成した構造であるから、文字板１０などの表示部材を制約せずに見切り部材１３の機能性およびデザイン性の向上が図れる。【選択図】        図１
2004184197.tif 000002
【特許請求の範囲】
【請求項１】
光透過性樹脂からなる枠状の導光部と非透過性樹脂からなる枠状の遮光部とを２色成形によって一体に形成した枠状部材と、
この枠状部材の前記導光部の外周側における所定個所に対応して配置された発光素子と
を備えたことを特徴とする照明装置。
【請求項２】
前記発光素子は紫外線発光素子で構成され、前記枠状部材で囲われる領域内には表示部材が配置され、この表示部材には紫外線領域の光に反応して可視光線領域の光を発光する発光部が設けられていることを特徴とする請求項１に記載の照明装置。
【請求項３】
前記発光素子は紫外線発光素子で構成され、前記導光部には紫外線領域の光に反応して可視光線領域の光を発光する発光層が設けられていることを特徴とする請求項１に記載の照明装置。
【請求項４】
前記発光素子は紫外線発光素子で構成され、前記導光部中には紫外線領域の光に反応して可視光線領域の光を発光する発光材が混入されていることを特徴とする請求項１に記載の照明装置。
【請求項５】
前記導光部には、前記発光素子からの光が入射する光入射部、およびこの光入射部から入射した光を前記枠状部材の内側に向けて放出する光放出部を除いて、反射面が全域に亘って設けられていることを特徴とする請求項１に記載の照明装置。
【請求項６】
請求項１に記載の照明装置を収納する機器ケースを備え、この機器ケースには窓部が設けられ、この窓部に対応して前記照明装置の前記枠状部材で囲われる領域内に配置された表示部材が配置されていることを特徴とする電子機器。
【発明の詳細な説明】
【０００１】
【発明の属する技術分野】
この発明は、腕時計、携帯電話機、自動車の計器類などの各種の機器に適用して有用な照明装置およびそれを用いた電子機器に関する。
【０００２】
【従来の技術】
例えば、腕時計においては、腕時計ケース内の所定個所に、人間の目に見える可視光線領域の光を発光する発光ダイオード（ＬＥＤ）などのランプを設け、暗い所でランプを点灯させて文字板や指針などの表示部材を照明することにより、暗い所でも時刻を知ることができるようしたものがある（例えば、特許文献１参照。）。
【０００３】
【特許文献１】
特開２００２−０２２８４９
【０００４】
この種の腕時計は、文字板の１２時と６時の位置に飾り部材を設け、この飾り部材の裏面にＬＥＤをそれぞれ配置すると共に、文字板と一体に設けられた導光板の裏面に文字板面で波状の装飾を呈する複数の凸部を設けることにより、この導光板の複数の凸部によってＬＥＤからの光が文字板の正面に照射される面積を拡大し、照明による視認性を高めている。
【０００５】
【発明が解決しようとする課題】
しかしながら、このような腕時計では、文字板の飾り部材の裏面側にＬＥＤを設けているので、腕時計全体が厚くなるばかりか、文字板に飾り部材を設けたり、文字板に導光板を設けたりしなければならず、このため文字板が制約され、自由なデザインのものを得ることができないという問題がある。また、この腕時計では、時計ガラスの外周部と文字板の外周部との間に配置された見切り部材が時計ガラスを通して文字板が見える範囲を規制する見切り機能の役割しか果たしておらず、このため見切り部材の機能性およびデザイン性に欠けるという問題もある。
【０００６】
この発明の課題は、見切り部材などの枠状部材を介して発光素子の光を文字板などの表示部材に良好に照射でき、且つ表示部材を制約せずに枠状部材の機能性およびデザイン性を向上させることである。
【０００７】
【課題を解決するための手段】
この発明は、上記課題を解決するために、次のような構成要素を備えている。
なお、各構成要素には、後述する各実施形態の項で説明される各要素に付されている図面の参照番号などを括弧と共に付す。
請求項１に記載の発明は、図１〜図２３に示すように、光透過性樹脂からなる枠状の導光部（１５）と非透過性樹脂からなる枠状の遮光部（１６）とを２色成形によって一体に形成した枠状部材（見切り部材１３）と、この枠状部材の前記導光部の外周側における所定個所に対応して配置された発光素子（発光素子１４、紫外線発光素子２０）とを備えたことを特徴とする照明装置（６）である。
【０００８】
この発明によれば、発光素子を発光させると、その光が枠状部材の導光部に照射され、この照射された光が導光部で導かれながら枠状部材で囲われた領域内に向けて放出されるので、発光素子の光を枠状部材で囲われた領域内の表示部材に良好に照射することができ、このため、例えば発光素子が可視光線領域の光を発光すれば、暗い所でも表示部材を良好に照明することができ、また枠状部材が光透過性樹脂からなる枠状の導光部と非透過性樹脂からなる枠状の遮光部とを２色成形によって一体に形成した構造であるから、表示部材を制約せずに枠状部材を任意の自由な形状に形成することができ、これにより枠状部材の機能性およびデザイン性の向上を図ることができる。
【０００９】
請求項２に記載の発明は、図５〜図７に示すように、前記発光素子が紫外線発光素子（２０）で構成され、前記枠状部材（見切り部材２０）で囲われる領域内には表示部材（文字板１０および指針１１）が配置され、この表示部材には紫外線領域の光に反応して可視光線領域の光を発光する発光部（２１）が設けられていることを特徴とする請求項１に記載の照明装置である。
この発明によれば、発光素子が紫外線発光素子で構成されているから、人間の目に見えない紫外線領域の光を発光するが、この紫外線領域の光が導光部に照射されると、この照射された光が導光部で導かれながら枠状部材で囲われた領域内に向けて放出され、この放出された紫外線領域の光が表示部材に照射されるので、表示部材に設けられた発光部が紫外線領域の光に反応して可視光線領域の光を発光し、この発光した可視光線領域の光で表示部材を照明することができる。
【００１０】
請求項３に記載の発明は、図８〜図１３に示すように、前記発光素子が紫外線発光素子（２０）で構成され、前記導光部（１５）には紫外線領域の光に反応して可視光線領域の光を発光する発光層（２３、２４、２６）が設けられていることを特徴とする請求項１に記載の照明装置である。
この発明によれば、発光素子が紫外線発光素子で構成されているから、人間の目に見えない紫外線領域の光を発光するが、この紫外線領域の光が導光部に照射されると、この紫外線領域の光が導光部で導かれると共に、導光部に設けられた発光層が紫外線領域の光に反応して可視光線領域の光を発光するので、この発光した可視光線領域の光で表示部材を照明することができる。
【００１１】
請求項４に記載の発明は、図１４〜図１６に示すように、前記発光素子が紫外線発光素子（２０）で構成され、前記導光部（１５）中には紫外線領域の光に反応して可視光線領域の光を発光する発光材（３０）が混入されていることを特徴とする請求項１に記載の照明装置である。
この発明によれば、発光素子が紫外線発光素子で構成されているから、人間の目に見えない紫外線領域の光を発光するが、この紫外線領域の光が導光部内に入射すると、この導光部で導かれながら導光部中に混入された発光材が紫外線領域の光に反応して可視光線領域の光を発光するので、この発光した可視光線領域の光で表示部材を照明することができる。
【００１２】
請求項５に記載の発明は、図１７〜図１９に示すように、前記導光部（１５）に、前記発光素子（発光素子１４、紫外線発光素子２０）からの光が入射する光入射部（３６）、およびこの光入射部から入射した光を前記枠状部材（見切り部材１３）の内側に向けて放出する光放出部（３７）を除いて、反射面（３５）が全域に亘って設けられていることを特徴とする請求項１に記載の照明装置である。
この発明によれば、発光素子を発光させると、その光が導光部の光入射部から導光部内に入射し、この入射した光が導光部で導かれるときに、反射面で反射を繰り返して導かれ、この導かれた光が導光部の光放出部から枠状部材で囲われた領域内に向けて放出されるので、導光部に入射した光を損失することなく光放出部から放出させることができ、これにより発光素子の光を表示部材にその外周側から効率良く照射することができる。
【００１３】
請求項６に記載の発明は、図１〜図２３に示すように、請求項１に記載の照明装置（６）を収納する機器ケース（腕時計ケース１、機器ケース５０）を備え、この機器ケースには窓部（時計ガラス２、保護ガラス５３）が設けられ、この窓に対応して前記照明装置の前記枠状部材（見切り部材２０）で囲われる領域内に配置された表示部材（文字板１０および指針１１、または液晶表示素子４１）が配置されていることを特徴とする電子機器である。
この発明によれば、請求項１に記載の発明と同様、照明装置によって表示部材に発光素子の光を良好に照射することができると共に、枠状部材が光透過性樹脂からなる枠状の導光部と非透過性樹脂からなる枠状の遮光部とを２色成形によって一体に形成した構造であるから、表示部材を制約せずに枠状部材を任意の自由な形状に形成することができ、これにより枠状部材の機能性およびデザイン性の構造を図ることができる。
【００１４】
【発明の実施の形態】
［第１実施形態］
以下、図１〜図４を参照して、この発明を指針式の腕時計に適用した第１実施形態について説明する。
図１はこの発明の指針式の腕時計を示した要部の拡大断面図、図２はその時計モジュールを示した正面図である。この指針式の腕時計は、図１に示すように、腕時計ケース１を備えている。この腕時計ケース１の上部中央には、時計ガラス２が装着されており、この腕時計ケース１の内部には、時計モジュール３が収納されている。また、この腕時計ケース１の下部には、裏蓋４が防水リング５を介して取り付けられている。
【００１５】
時計モジュール３は、アナログ機能とデジタル機能のうち、少なくともアナログ機能を備えているほか、照明装置６をも備えており、図１に示すように、ハウジング７に設けられたアナログムーブメント８の指針軸９が文字板１０の貫通孔１０ａを通してその上方に突出し、この突出した指針軸９の上端部に時針、分針、秒針などの指針１１が取り付けられ、この指針１１が文字板１０の上方を運針するように構成されている。この場合、文字板１０および指針１１が時刻を表示する表示部材を構成している。また、この文字板１０の上面には、時字１２が周縁部に沿って所定間隔で設けられている。
【００１６】
また、時計モジュール３の照明装置６は、図１および図２に示すように、時計ガラス３とハウジング７との間に位置する腕時計ケース１の内周面に沿って配置された見切り部材１３と、この見切り部材１３の１２時と６時とに位置する下側に配置された発光素子１４とを備えている。見切り部材１３は、図１に示すように、時計ガラス２を通して文字板１０が見える範囲を規制するためのものであり、図３および図４に示すように、ほぼ円形のリング状をなす枠状部材で、光透過性樹脂からなる枠状の導光部１５と非透過性樹脂からなる枠状の遮光部１６とを２色成形によって一体に形成した構造になっている。
【００１７】
この場合、導光部１５は、全体がほぼ円形のリング状に形成され、その所定個所つまり時字１２に対応する個所に長方形の突起片１５ａがそれぞれ放射状に形成され、これら突起片１５ａの各上面が図４に示すように傾斜面に形成された構成になっている。また、遮光部１６も、ほぼ円形のリング状に形成され、導光部１５の内周部および各突起片１５ａを露出させた状態で、図３および図４に示すように、導光部１５の上部外周に配置され、且つその所定個所に導光部１５の突起片１５ａの両側および外周側を囲む飾り部１６ａがそれぞれ形成された構成になっている。また、発光素子１４は、白色光などの可視光線領域の光を発光する発光ダイオード（ＬＥＤ）または白色ランプなどで構成され、図１に示すように、見切り部材１３の導光部１５の外周側における下面に対応した状態でハウジング７上に設けられている。
【００１８】
このような指針式の腕時計によれば、発光素子１４を発光させると、人間の目に見える可視光線領域の光が見切り部材１３の導光部１５に照射され、この照射された可視光線領域の光が導光部１５で見切り部材１３に沿って導かれながら見切り部材１３で囲われた領域内に向けて放出されるので、この放出された可視光線領域の光によって文字板１０および指針１１を照明することができ、これにより暗い所でも時刻を知ることができる。この場合、導光部１５は、図２および図３に示すように、全体がほぼリング状に形成され、この導光部１５の上部外周に遮光部１６が導光部１５の内周部を露出させた状態で配置されているので、文字板１０をその全外周側から照明することができる。
【００１９】
このときには、図３および図４に示すように、導光部１５の所定個所つまり時字１２に対応する個所に長方形の突起片１５ａがそれぞれ放射状に形成され、これら突起片１５ａの上面が傾斜面に形成されているので、導光部１５で導かれた光を各突起片１５ａから集中させて放出することができ、これにより時字１２に対応する個所をその周辺部分よりも明るく照明することができ、このため鮮明に時刻を知ることができる。また、見切り部材１３は光透過性樹脂からなる枠状の導光部１５と非透過性樹脂からなる枠状の遮光部１６とを２色成形によって一体に形成した構成であるから、文字板１０および指針１１を制約せずに見切り部材１３を任意の自由な形状に形成することができ、これにより見切り部材１３の機能性およびデザイン性の向上を図ることができる。
【００２０】
［第２実施形態］
次に、図５〜図７を参照して、この発明を指針式の腕時計に適用した第２実施形態について説明する。なお、図１〜図４に示された第１実施形態と同一部分には同一符号を付して説明する。
この指針式の腕時計は、発光素子として紫外線発光素子２０を用い、文字板１０および指針１１に発光部２１をそれぞれ設けた構造で、これ以外は第１実施形態とほぼ同じ構造になっている。
【００２１】
すなわち、紫外線発光素子２０は、波長が３６５〜３８５ｎｍ（ナノメートル：ナノメートルは１０億分の１メートル）の紫外線領域の光を発光する紫外線発光ダイオード（ＬＥＤ）または紫外線灯などの発光素子で構成され、図５に示すように、ハウジング７上における外周部の所定個所、例えば１２時と６時との個所における見切り部材１３の導光部１５の下側に対応して設けられている。発光部２１は、紫外線領域の光に反応して可視光線領域の光を発光するものであり、図６および図７に示すように、文字板１０の時字１２および指針１１の先端部分にそれぞれ設けられている。
【００２２】
このような指針式の腕時計によれば、紫外線発光素子２０を発光させると、人間の目に見えない紫外線領域の光が見切り部材１３の導光部１５に照射され、この照射された紫外線領域の光が導光部１５で見切り部材１３に沿って導かれながら見切り部材１４で囲われた領域内に向けて放出され、この放出された紫外線領域の光が文字板１０および指針１１に照射される。このため、文字板１０の時字１２および指針１１の先端部分にそれぞれ設けられた発光部２１が紫外線領域の光に反応して人間の目に見える可視光線領域の光を発光し、これら発光部２１で発光した可視光線領域の光によって文字板１０および指針１１を視認することができ、これにより暗い所でも時刻を知ることができる。
【００２３】
この場合にも、導光部１５の所定個所つまり時字１２に対応する個所に長方形の突起片１５ａがそれぞれ形成され、これら突起片１５ａの各上面が傾斜面に形成されているので、各時字１２に対応する個所に紫外線領域の光を集中させて照射することができ、このため各時字１２の発光部２１および指針１１の発光部２１を十分に発光させることができ、これにより鮮明に時刻を知ることができる。また、見切り部材１３が枠状の導光部１５と枠状の遮光部１６とを２色成形によって一体に形成した構成であるから、第１実施形態と同様、文字板１０および指針１１を制約することがなく、見切り部材１３を任意の自由な形状に形成することができ、これにより見切り部材１３の機能性およびデザイン性の向上を図ることができる。
【００２４】
［第３実施形態］
次に、図８〜図１１を参照して、この発明を指針式の腕時計に適用した第３実施形態について説明する。この場合には、図５〜図７に示された第２実施形態と同一部分に同一符号を付して説明する。
この指針式の腕時計は、見切り部材１３の導光部１５の所定個所に発光層２３を設けた構造で、これ以外は第２実施形態とほぼ同じ構造になっている。すなわち、発光層２３は、第２実施形態の発光部２１と同様、紫外線領域の光に反応して可視光線領域の光を発光するものであり、文字板１０の時字１２に対応する導光部１５の各突起片１５ａの上面にそれぞれ設けられている。この場合、導光部１５の各突起片１５ａは、図１１に示すように、その上面がそれぞれ傾斜面に形成され、これら傾斜面に凹部１５ｂがそれぞれ設けられ、これら凹部１５ｂ内に発光層２３がそれぞれ設けられた構成になっている。
【００２５】
このような指針式の腕時計によれば、第２実施形態と同様、紫外線発光素子２０を発光させると、人間の目に見えない紫外線領域の光が見切り部材１３の導光部１５に照射され、この照射された紫外線領域の光が導光部１５で見切り部材１３に沿って導かれながら見切り部材１４で囲われた領域内に向けて放出されると共に、文字板１０の時字１２に対応する導光部１５の各突起片１５ａにそれぞれ設けられた各発光層２３に、導光部１５で導かれた紫外線領域の光が照射され、これにより各発光層２３がそれぞれ紫外線領域の光に反応して可視光線領域の光を発光する。このため、見切り部材１３の導光部１５からは、紫外線領域の光と各発光層２３で発光した可視光線領域の光との両方が放出される。
【００２６】
このため、文字板１０および指針１１は、紫外線領域の光と可視光線領域の光との両方が照射され、これにより可視光線領域の光で文字板１０および指針１１が照明されると共に、文字板１０の時字１２および指針１１にそれぞれ設けられた発光部２１が紫外線領域の光に反応して可視光線領域の光を発光するので、文字板１０および指針１１を第２実施形態のものよりも明るく照明することができる。この場合にも、見切り部材１３が枠状の導光部１５と枠状の遮光部１６とを２色成形によって一体に形成した構成であるから、第１実施形態と同様、文字板１０および指針１１を制約することがなく、見切り部材１３を任意の自由な形状に形成することができ、これにより見切り部材１３の機能性およびデザイン性の向上を図ることができる。
【００２７】
なお、上記第３実施形態では、導光部１５の各突起片１５ａの上面に発光層２３を設けた場合について述べたが、これに限らず、例えば、図１２または図１３に示すように構成しても良い。すなわち、図１２に示された第１変形例は、リング状の導光部１５の上面全体、つまり導光部１５の各突起片１５ａを含むすべての上面に発光層２４を設けた構成になっている。この場合には、紫外線発光素子２０からの紫外線領域の光が導光部１５に照射されると、紫外線領域の光が導光部１５で導かれて導光部１５の上面全体に設けられたすべて発光層２４に照射され、これにより発光層２４が可視光線領域の光を発光して、文字板１０および指針１１をその全外周側から照明するので、文字板１０および指針１１に発光部２１を設けなくても、第１実施形態と同様、文字板１０および指針１１を明るく照明することができる。
【００２８】
また、図１３に示された第２変形例は、導光部１５の上面に記号や図形あるいは模様などの装飾層２５を設けると共に、この導光部１５の上面全体に装飾層２５を覆って発光層２６を設けた構成になっている。このような構成では、導光部１５に照射されて導かれた紫外線領域の光が装飾部２５を通して発光層２６に照射され、これにより発光層２６が装飾部２５の記号や図形あるいは模様などの装飾に応じて可視光線領域の光を発光するので、文字板１０および指針１１に発光部２１を設けなくても、文字板１０および指針１１をその全外周側から明るく照明することができると共に、装飾層２５によって装飾性の高いものを得ることができる。
【００２９】
さらに、上記第３実施形態およびその各変形例では、導光部１５の上面に発光層２３、２４、２６を設けたが、必ずしも導光部１５の上面に発光層２３、２４、２６を設ける必要はなく、導光部１５の下面に発光層２３、２４、２６を設けた構造でも良い。この場合、導光部１５の下面に設けられた発光層２３、２４、２６のうち、第１、第２変形例の発光層２４、２６は、紫外線発光素子２０に対応する個所を除いて、導光部１５の下面に設けられていることが望ましい。このような構造でも、第３実施形態およびその各変形例とほぼ同様の作用効果がある。
【００３０】
［第４実施形態］
次に、図１４〜図１６を参照して、この発明を指針式の腕時計に適用した第４実施形態について説明する。この場合には、図５〜図７に示された第２実施形態と同一部分に同一符号を付して説明する。
この指針式の腕時計は、導光部１５中に発光材３０を混入した構造で、これ以外は第２実施形態とほぼ同じ構造になっている。すなわち、この発光材３０は、第２実施形態の発光部２１と同様、紫外線領域の光に反応して可視光線領域の光を発光する物質からなっている。また、この発光材３０は、導光部１５中に混入される密度が紫外線発光素子２０の近傍で低く、紫外線発光素子２０から遠くなるに従って次第に高くなり、且つ突起片１５ａの密度が導光部１５のリング状の部分よりも高くなるように構成されていることが望ましい。なお、この場合には文字板１０および指針１１に発光部２１を設ける必要はない。
【００３１】
このような指針式の腕時計によれば、第２実施形態と同様、紫外線発光素子２０を発光させると、人間の目に見えない紫外線領域の光が見切り部材１３の導光部１５に照射され、この照射された紫外線領域の光が導光部１５で見切り部材１３に沿って導かれるときに、導光部１５中に混入された発光材３０が紫外線領域の光に反応して可視光線領域の光を発光するので、この発光した可視光線領域の光が見切り部材１４で囲われた領域内に向けて放出され、この放出された可視光線領域の光で文字板１０および指針１１を照明することができ、このため暗い所でも時刻を知ることができる。
【００３２】
この場合には、導光部１５中に混入された発光材３０の密度が、紫外線発光素子２０の近傍で低く、紫外線発光素子２０から遠くなるに従って次第に高くなっているので、導光部１５の内周面からほぼ均一な輝度で可視光線領域の光を放出することができ、これにより文字板１０および指針１１をほぼ均一な明るさで照明することができる。また、導光部１５の各突起片１５ａの密度が導光部１５のリング状の部分よりも高くなっているので、導光部１５の各突起片１５ａの輝度をその周辺部分よりも高くすることができ、これにより文字板１０の各時字１２に対応する部分を明るく照明することができる。この場合にも、見切り部材１３が枠状の導光部１５と枠状の遮光部１６とを２色成形によって一体に形成した構成であるから、第１実施形態と同様、文字板１０を制約することがなく、見切り部材１３を任意の自由な形状に形成することができ、これにより見切り部材１３の機能性およびデザイン性の向上を図ることができる。
【００３３】
［第５実施形態］
次に、図１７〜図１９を参照して、この発明を指針式の腕時計に適用した第５実施形態について説明する。この場合には、図１〜図４に示された第１実施形態と同一部分に同一符号を付して説明する。
この指針式の腕時計は、見切り部材１３の導光部１５に反射面３５をほぼ全域に亘って設けた構造で、これ以外は第１実施形態とほぼ同じ構造になっている。すなわち、この照明装置６は、見切り部材１３における１２時と６時とに位置する下側に可視光線領域の光を発光する発光ダイオードなどの発光素子１４を配置した構成になっている。
【００３４】
また、見切り部材１３の導光部１５には、図１９に示すように、発光素子１４からの光が入射する光入射部３６、およびこの光入射部３６から入射した光を見切り部材１３の内側に向けて放出する光放出部３７を除いて、反射面３５が全域に亘って蒸着やめっきによって設けられている。この場合、光入射部３６は、導光部１５の外周側の下面における所定個所、つまり発光素子１４と対応する１２時と６時とに位置する個所に設けられている。光放出部３７は、導光部１５の内側に位置する先端側の内周面の全域に亘って設けられている。
【００３５】
このような指針式の腕時計によれば、発光素子１４を発光させると、人間の目に見える可視光線領域の光が見切り部材１３の導光部１５の光入射部３６から入射し、この入射した可視光線領域の光が導光部１５で見切り部材１３に沿って導かれるときに、導光部１５の反射面３５で反射を繰り返しながら導かれ、この導かれた可視光線領域の光が導光部１５の先端側の内周面の全域に亘って設けられた光放出部３７から放出されるので、この放出された可視光線領域の光によって文字板１０および指針１１をその外周側から照明することができ、これにより暗い所でも時刻を知ることができる。
【００３６】
このときには、導光部１５の光入射部３６および光放出部３７を除いて、導光部１５の全域に亘って反射面３５が設けられているので、導光部１５に入射した光を反射面３５で反射を繰り返して導くことができ、これにより導光部１５に入射した光を損失することなく効率良く導くことができる。このため、導光部１５の先端側の内周面の全域に亘って設けられた光放出部３７から集中させて可視光線領域の光を放出することができ、これにより文字板１０をその全周側から明るく照明することができる。
【００３７】
この場合、見切り部材１３は、予め導光部１５を形成して、その表面に光入射部３６および光放出部３７を除いて反射面３５を蒸着やめっきなどにより形成し、この反射面３５が形成された導光部１５と遮光部１６とを一体に成形することにより、第１実施形態と同様、文字板１０および指針１１を制約することがなく、見切り部材１３を任意の自由な形状に形成することができ、これにより見切り部材１３の機能性およびデザイン性の向上を図ることができる。
【００３８】
なお、上記第５実施形態では、発光素子として、可視光線領域の光を発光する発光素子１４を用いたが、これに限らず、例えば第２実施形態と同様、発光素子として、紫外線発光素子２０を用い、文字板１０の時字１２および指針１１の先端部分に、紫外線領域の光に反応して可視光線領域の光を発光する発光部２１をそれぞれ設けた構成でも良い。このように構成すれば、紫外線発光素子２０で発光した人間の目に見えない紫外線領域の光が導光部１５の光入射部３６から入射してこの導光部１５で導かれるときに、第５実施形態と同様、導光部１５の反射面３５で反射を繰り返しながら導かれ、この導かれた紫外線領域の光が導光部１５の光放出部３７から放出されて文字板１０および指針１１に照射されるので、第２実施形態と同様、文字板１０の時字１２および指針１１に設けられた発光部２１が紫外線領域の光に反応して可視光線領域の光を発光し、この発光した可視光線領域の光によって文字板１０および指針１１を照明することができる。
【００３９】
また、これに限らず、例えば、第４実施形態と同様に、発光素子として紫外線発光素子２０を用い、且つ見切り部材１３の導光部１５中に、紫外線領域の光に反応して可視光線領域の光を発光する発光材３０を混入させた構造でも良い。この場合には、文字板１０および指針１１に発光部２１を設ける必要はない。このような構造では、紫外線発光素子２０で発光した紫外線領域の光が導光部１５の光入射部３６から入射すると、この入射した紫外線領域の光が導光部１５の反射面３５で反射を繰り返して導かれながら導光部１５中の発光材３０に照射されるので、この導光部１５中の発光材３０が紫外線領域の光に反応して可視光線領域の光を発光し、この発光した可視光線領域の光が導光部１５の反射面３５で反射を繰り返しながら導かれて導光部１５の光放出部３７から放出され、これにより文字板１０および指針１１を明るく照明することができる。
【００４０】
［第６実施形態］
次に、図２０および図２１を参照して、この発明をデジタル式の腕時計に適用した第６実施形態について説明する。この場合にも、図１〜図４に示された第１実施形態と同一部分に同一符号を付して説明する。
このデジタル式の腕時計は、腕時計ケース１内に収納された時計モジュール４０がデジタル機能を備えた構造で、これ以外は第１実施形態とほぼ同じ構造になっている。すなわち、この時計モジュール４０は、文字板１０および指針１１の表示部材に代えて、液晶表示素子４１をハウジング４２上に設けた構造になっている。
【００４１】
この液晶表示素子４１は、図２０に示すように、上下一対の透明な電極基板４３、４４間に液晶（図示せず）を封入し、上側の電極基板４３の上面と下側の電極基板４４の下面とにそれぞれ偏光板４５、４６を設け、下側の偏光板４６の下面に反射板４７を設け、上側の電極基板４３の両端部分をハウジング４２内に設けられた回路基板（図示せず）に電気的に接続した状態で支持し、この状態で一対の電極基板４３、４４間に選択的に電圧を印加することにより、時刻などの情報を電気光学的に表示するように構成されている。
【００４２】
この場合にも、時計モジュール４０は照明装置６を備えている。この照明装置６は、第１実施形態と同様、時計ガラス３とハウジング４２との間に位置する腕時計ケース１の内周面に沿って配置された見切り部材１３と、この見切り部材１３の１２時と６時とに位置する下側に配置された発光素子１４とを備えている。見切り部材１３は、第１実施形態と同様、ほぼ円形のリング状をなす枠状部材であり、光透過性樹脂からなる枠状の導光部１５と非透過性樹脂からなる枠状の遮光部１６とを２色成形によって一体に形成した構造になっている。また、発光素子１４は、白色光などの可視光線領域の光を発光する発光ダイオード（ＬＥＤ）または白色ランプなどで構成され、図２０に示すように、見切り部材１３の導光部１５の外周側における１２時と６時とに位置する下面に対応した状態でハウジング４２上に設けられている。
【００４３】
このようなデジタル式の腕時計によれば、第１実施形態と同様、発光素子１４を発光させると、人間の目に見える可視光線領域の光が見切り部材１３の導光部１５に照射され、この照射された可視光線領域の光が導光部１５で見切り部材１３に沿って導かれながら見切り部材１３で囲われた領域内に向けて放出されるので、液晶表示素子４１を照明することができ、これにより暗い所でも時刻などの情報を視認することができる。この場合にも、導光部１５は全体がほぼ円形のリング状に形成され、この導光部１５の上部外周に遮光部１６が導光部１５の内周部を露出させた状態で配置されているので、液晶表示素子４１をその全外周側から照明することができる。また、見切り部材１３が枠状の導光部１５と枠状の遮光部１６とを２色成形によって一体に形成した構成であるから、液晶表示素子４１を制約することがなく、見切り部材１３を任意の自由な形状に形成することができ、これにより見切り部材１３の機能性およびデザイン性の向上を図ることができる。
【００４４】
［第７実施形態］
次に、図２２および図２３を参照して、この発明を携帯電話機に適用した第７実施形態について説明する。この場合には、図２０および図２１に示された第６実施形態と同一部分に同一符号を付して説明する。
この携帯電話機は、図２２に示すように、合成樹脂製の機器ケース５０を備えている。この機器ケース５０は、上ケース５１と下ケース５２とを接合した構造になっている。この場合、上ケース５１の上面における上部側にはほぼ円形状の開口部が設けられ、この開口部には窓部に相当するほぼ円形の透明な保護ガラス５３が装着されており、この上ケース５１の上面における下部側には、電話機能に必要な各種のキー釦５４が設けられている。また、この機器ケース５０の上端面には、アンテナ５５が出没可能に取り付けられている。
【００４５】
この機器ケース５０の内部には、図２３に示すように、携帯電話機用のモジュール５６が収納されている。この携帯電話機用のモジュール５６は、携帯電話機能に必要な各種の部品を備えたものであり、ハウジング５７に電話に必要な情報を表示する液晶表示素子４１が保護ガラス５３に対応して設けられていると共に、保護ガラス５３の外周部に対応して照明装置６が設けられた構成になっている。この場合、液晶表示素子４１は、第６実施形態と同じ構造になっている。また、照明装置６は、第１実施形態と同様、保護ガラス５３の外周部とハウジング５７との間に配置された見切り部材１３と、この見切り部材１３の３時と９時とに位置する下側に配置された発光素子１４とを備えている。
【００４６】
見切り部材１３は、第１実施形態と同様、全体がほぼ円形のリング状をなす枠状部材であり、光透過性樹脂からなる枠状の導光部１５と非透過性樹脂からなる枠状の遮光部１６とを２色成形によって一体に形成した構造になっている。また、発光素子１４は、白色光などの可視光線領域の光を発光する発光ダイオード（ＬＥＤ）または白色ランプなどで構成され、図２３に示すように、見切り部材１３の導光部１５の外周側における３時と９時とに位置する下面に対応した状態でハウジング５７上に設けられている。
【００４７】
このような携帯電話機によれば、第６実施形態と同様、発光素子１４を発光させると、人間の目に見える可視光線領域の光が見切り部材１３の導光部１５に照射され、この照射された可視光線領域の光が導光部１５で見切り部材１３に沿って導かれながら見切り部材１３で囲われた領域内に向けて放出されるので、液晶表示素子４１を照明することができ、これにより暗い所でも液晶表示素子４１に表示された情報を視認することができる。この場合にも、導光部１５は全体がほぼ円形のリング状に形成され、この導光部１５の上部外周に遮光部１６が導光部１５の内周部を露出させた状態で配置されているので、液晶表示素子４１をその全外周側から照明することができる。また、見切り部材１３が枠状の導光部１５と枠状の遮光部１６とを２色成形によって一体に形成した構成であるから、液晶表示素子４１を制約することがなく、見切り部材１３を任意の自由な形状に形成することができ、これにより見切り部材１３の機能性およびデザイン性の向上を図ることができる。
【００４８】
なお、上記第６実施形態のデジタル式の腕時計、および第７実施形態の携帯電話機では、発光素子として、可視光線領域の光を発光する発光素子１４を用いたが、これに限らず、例えば第２実施形態と同様、発光素子として、紫外線発光素子２０を用い、液晶表示素子４１の上面には、紫外線領域の光に反応して可視光線領域の光を発光する発光部２１を表示領域を除いて設けた構成でも良い。この場合、発光部２１は、紫外線領域の光が照射されないときに、透明な状態を呈するものであることが望ましい。このように構成すれば、紫外線発光素子２０で発光した人間の目に見えない紫外線領域の光が導光部１５で見切り部材１３に沿って導かれながら見切り部材１３で囲われた領域内に向けて放出され、この放出された紫外線領域の光が液晶表示素子４１に照射されるので、この照射された紫外線領域の光に発光部２１が反応して可視光線領域の光を発光し、これにより液晶表示素子４１に表示された情報を視認することができる。
【００４９】
また、これに限らず、例えば、第３実施形態およびその第１、第２変形例と同様、発光素子として紫外線発光素子２０を用い、且つ見切り部材１３の導光部１５の所定個所、つまり導光部１５の突起片１５ａの上面のみに紫外線領域の光に反応して可視光線領域の光を発光する発光層２３を設けた構造でも良く、また導光部１５の上面全体に、紫外線領域の光に反応して可視光線領域の光を発光する発光層２４、２６を設けた構造でも良い。なお、導光部１５の上面全体に発光層２４、２６を設けた場合には、液晶表示素子４１の上面に発光部２１を設ける必要はない。
【００５０】
このような構造では、紫外線発光素子２０で発光した紫外線領域の光が導光部１５で導かれながら発光層２３、２４、２６に照射され、この発光層２３、２４、２６が紫外線領域の光に反応して可視光線領域の光を発光し、この発光した可視光線領域の光が見切り部材１３で囲われた領域内に向けて放出されるので、この放出された可視光線領域の光で液晶表示素子４１を照明することができ、これにより暗い所でも液晶表示素子４１に表示された情報を視認することができる。
【００５１】
また、これに限らず、例えば、第４実施形態と同様、発光素子として紫外線発光素子２０を用い、且つ見切り部材１３の導光部１５中に、紫外線領域の光に反応して可視光線領域の光を発光する発光材３０を混入させた構造でも良い。この場合にも、液晶表示素子４１の上面に発光部２１を設ける必要はない。このような構造では、紫外線発光素子２０で発光した紫外線領域の光が導光部１５に入射すると、この入射した紫外線領域の光が導光部１５で導かれながら、導光部１５中の発光材３０が紫外線領域の光に反応して可視光線領域の光を発光し、この発光した可視光線領域の光が見切り部材１３で囲われた領域内に向けて放出されるので、この放出された可視光線領域の光で液晶表示素子４１を照明することができ、これにより暗い所でも液晶表示素子４１に表示された情報を視認することができる。
【００５２】
さらに、これに限らず、例えば、第５実施形態と同様、導光部１５に反射面３５を光入射部３６および光放出部３７を除く全域に亘って蒸着やめっきによって設けた構造でも良い。このような構造では、発光素子１４で発光した可視光線領域の光が導光部１５の光入射部３６から入射し、この入射した可視光線領域の光が導光部１５で導かれるときに、導光部１５の反射面３５で反射を繰り返しながら導かれるので、導光部１５に入射した光を損失することなく効率良く導くことができ、このため導光部１５の光放出部３７から集中させて放出することができ、これにより液晶表示素子４１を明るく照明することができる。
【００５３】
なおまた、上記第１〜第７実施形態およびその各変形例では、見切り部材１３がほぼ円形のリング状に形成され、これに伴って導光部１５もほぼ円形のリング状に形成されている場合について述べたが、これに限らず、例えば四角形や五角形などの多角形のリング状に形成しても良く、また楕円形のリング状に形成しても良い。
また、上記第１〜第７実施形態およびその各変形例では、見切り部材１３の１２時と６時、または３時と９時との２か所に発光素子１４または紫外線発光素子２０を設けたが、必ずしも２か所に設ける必要はなく、１か所であっても良く、また３か所以上に設けていも良い。
【００５４】
さらに、上記第１〜第７実施形態およびその各変形例では、文字板１０および指針１１または液晶表示素子４１などの表示部材を囲む部材として、見切り部材１３を用いたが、必ずしも見切り部材１３である必要はなく、表示部材を囲む部材であれば枠状部材であっても良い。
また、上記第１〜第７実施形態およびその各変形例では、腕時計または携帯電話機に適用した場合について述べたが、これに限らず、例えば電子手帳、電子辞書、携帯端末機、パーソナルコンピュータ、印刷機などの各種の電子機器、または自動車の計器類などの各種機器、あるいはそれらの各部品に広く適用することができる。
【００５５】
【発明の効果】
以上説明したように、この発明によれば、光透過性樹脂からなる枠状の導光部と非透過性樹脂からなる枠状の遮光部とを２色成形によって一体に形成した枠状部材と、この枠状部材の前記導光部の外周側における所定個所に対応して配置された発光素子とを備えたことにより、発光素子で発光した光が枠状部材の導光部に照射されると、この照射された光が導光部で導かれながら枠状部材で囲われた領域内に向けて放出されるので、発光素子の光を枠状部材で囲われた領域内の表示部材に良好に照射することができ、このため発光素子が可視光線領域の光を発光すれば、暗い所でも表示部材を良好に照明することができ、また枠状部材が枠状の導光部と枠状の遮光部とを２色成形によって一体に形成した構造であるから、表示部材を制約せずに枠状部材を任意の自由な形状に形成することができ、これにより枠状部材の機能性およびデザイン性の向上を図ることができる。
【００５６】
この場合、発光素子が紫外線発光素子で構成され、枠状部材で囲われた領域内に表示部材が配置され、この表示部材に紫外線領域の光に反応して可視光線領域の光を発光する発光部が設けられていることにより、紫外線発光素子が人間の目に見えない紫外線領域の光を発光するが、この紫外線領域の光が導光部に照射されると、この照射された光が導光部で導かれながら枠状部材で囲われた領域内に向けて放出され、この放出された紫外線領域の光が表示部材に照射されるので、表示部材に設けられた発光部が紫外線領域の光に反応して可視光線領域の光を発光し、この発光した可視光線領域の光で表示部材を照明することができる。
【００５７】
また、発光素子が紫外線発光素子で構成され、導光部には紫外線領域の光に反応して可視光線領域の光を発光する発光層が設けられていることにより、紫外線発光素子が人間の目に見えない紫外線領域の光を発光するが、この紫外線領域の光が導光部に照射されると、この紫外線領域の光が導光部で導かれると共に、導光部に設けられた発光層が紫外線領域の光に反応して可視光線領域の光を発光するので、この発光した可視光線領域の光で表示部材を照明することができる。
【００５８】
また、発光素子が紫外線発光素子で構成され、導光部中には紫外線領域の光に反応して可視光線領域の光を発光する発光材が混入されていることにより、紫外線発光素子が人間の目に見えない紫外線領域の光を発光するが、この紫外線領域の光が導光部内に入射すると、この導光部で導かれながら導光部中に混入された発光材が紫外線領域の光に反応して可視光線領域の光を発光するので、この発光した可視光線領域の光で表示部材を照明することができる。
【００５９】
さらに、導光部には、発光素子からの光が入射する光入射部、およびこの光入射部から入射した光を枠状部材で囲われた領域の内側に向けて放出する光放出部を除いて、反射面が全域に亘って設けられていることにより、発光素子を発光させると、その光が導光部の光入射部から導光部内に入射し、この入射した光が導光部で導かれるときに、反射面で反射を繰り返して導かれ、この導かれた光が導光部の光放出部から枠状部材で囲われた領域内に向けて放出されるので、導光部に入射した光を損失することなく光放出部から放出させることができ、これにより発光素子の光を表示部材に効率良く照射することができる。
【図面の簡単な説明】
【図１】この発明を指針式の腕時計に適用した第１実施形態を示した要部の拡大断面図。
【図２】図１の時計モジュールを示した正面図。
【図３】図２の見切り部材の発光状態を示した正面図。
【図４】図３の見切り部材のＡ−Ａ矢視における拡大断面図。
【図５】この発明を指針式の腕時計に適用した第２実施形態を示した要部の拡大断面図。
【図６】図５の時計モジュールを示した正面図。
【図７】図６の各指針をそれぞれ示した図。
【図８】この発明を指針式の腕時計に適用した第３実施形態を示した要部の拡大断面図。
【図９】図８の時計モジュールを示した正面図。
【図１０】図９の見切り部材の発光状態を示した正面図。
【図１１】図１０の見切り部材のＢ−Ｂ矢視における拡大断面図。
【図１２】見切り部材の導光部に設けられた発光層の第１変形例を示した要部の拡大断面図。
【図１３】見切り部材の導光部に設けられた発光層の第２変形例を示した要部の拡大断面図。
【図１４】この発明を指針式の腕時計に適用した第４実施形態を示した要部の拡大断面図。
【図１５】図１４の時計モジュールを示した正面図。
【図１６】図１４の見切り部材の要部を拡大した断面図。
【図１７】この発明を指針式の腕時計に適用した第５実施形態を示した要部の拡大断面図。
【図１８】図１７の時計モジュールを示した正面図。
【図１９】図１７の見切り部材の要部を拡大した断面図。
【図２０】この発明をデジタル式の腕時計に適用した第６実施形態を示した要部の拡大断面図。
【図２１】図２０の時計モジュールを示した正面図。
【図２２】この発明を携帯電話機に適用した第７実施形態を示した斜視図。
【図２３】図２２のＣ−Ｃ矢視における拡大断面図。
【符号の説明】
１  腕時計ケース
２  時計ガラス
３、４０  時計モジュール
６  照明装置
１０  文字板
１１  指針
１３  見切り部材
１４  発光素子
１５  導光部
１６  遮光部
２０  紫外線発光素子
２１  発光部
２３、２４、２６  発光層
３０  発光材
３５  反射面
３６  光入射部
３７  光放出部
４１  液晶表示素子
５０  機器ケース
５３  保護ガラス
５６  モジュール
【図１】
2004184197.tif 000003
【図２】
2004184197.tif 000004
【図３】
2004184197.tif 000005
【図４】
2004184197.tif 000006
【図５】
2004184197.tif 000007
【図６】
2004184197.tif 000008
【図７】
2004184197.tif 000009
【図８】
2004184197.tif 000010
【図９】
2004184197.tif 000011
【図１０】
2004184197.tif 000012
【図１１】
2004184197.tif 000013
【図１２】
2004184197.tif 000014
【図１３】
2004184197.tif 000015
【図１４】
2004184197.tif 000016
【図１５】
2004184197.tif 000017
【図１６】
2004184197.tif 000018
【図１７】
2004184197.tif 000019
【図１８】
2004184197.tif 000020
【図１９】
2004184197.tif 000021
【図２０】
2004184197.tif 000022
【図２１】
2004184197.tif 000023
【図２２】
2004184197.tif 000024
【図２３】
2004184197.tif 000025